(57)【要約】【課題】規則的に収縮して股下部領域に見栄えの良い伸縮弾性部材の不連続部分を形成し、履き心地が良く、漏れ防止効果に優れ、良好な強度を有するパンツ型使いすておむつを提供する。【解決手段】外装部材の前身頃と後身頃の相対する両側縁部を接合してウエスト周り開口部と一対の脚周り開口部を形成し、前記開口部に沿って伸縮弾性部材が配置されたパンツ型使いすておむつにおいて、前記外装部材は２枚のシートからなり、前身頃側及び後身頃側の外装部材の２枚のシート間には、一方の側縁部から股下部を経て他方側縁部に至る複数本の伸縮弾性部材からなる第１及び第２伸縮弾性部材が配置され、それらのうちの少なくとも一部分が前記一対の脚周り開口部に沿って前記外装部材の２枚のシート間に接着配置されており、かつ、前記第１伸縮弾性部材及び第２伸縮弾性部材は、前記股下部領域の少なくとも中央部において不連続となるように配置されており、前記股下部領域における前記外装部材の２枚のシート間は接着されていることを特徴とするパンツ型使いすておむつ。【選択図】  図１
2004167043.tif 000002
【特許請求の範囲】
【請求項１】
液透過性のトップシートと、液不透過性のバックシートと、これら両シートの間に配置された吸収体とからなる吸収性本体と、吸収性本体が接合され、着用者に吸収性本体を当てて保持する外装部材とからなり、外装部材の前身頃と後身頃の相対する両側縁部を接合してウエスト周り開口部と一対の脚周り開口部を形成し、前記開口部に沿って伸縮弾性部材が配置されたパンツ型使いすておむつにおいて、前記外装部材は２枚のシートからなり、前身頃側の外装部材の２枚のシート間には、一方の側縁部から股下部を経て他方側縁部に至る複数本の伸縮弾性部材からなる第１伸縮弾性部材が配置され、そのうちの少なくとも一部分が前記脚周り開口部に沿って前記外装部材の２枚のシート間に接着配置されており、後身頃側の前記外装部材の２枚のシート間には、一方の側縁部から股下部を経て他方の側縁部に至る複数本の伸縮弾性部材からなる第２伸縮弾性部材が配置され、そのうちの少なくとも一部分が前記脚周り開口部に沿って前記外装部材の２枚のシート間に接着配置されており、前記第１伸縮弾性部材及び第２伸縮弾性部材は、前記脚周り開口部に沿って配置された部分で脚周り伸縮弾性部材を形成し、かつ、前記股下部領域の少なくとも中央部において不連続となるように配置されており、前記股下部領域における前記外装部材の２枚のシート間は接着されていることを特徴とするパンツ型使いすておむつ。
【請求項２】
前記第１伸縮弾性部材及び第２伸縮弾性部材は、前記外装部材を構成する２枚のシートの対向する面の両方もしくは一方に塗布されている接着剤によって脚周り開口部及び股下部領域において２枚のシートと一体的に接着された後、前記股下部領域の中央部で切断されることによって生じる収縮力によって前記股下部領域で前記２枚のシートから剥離し、収縮した状態で股下部領域の少なくとも中央部で不連続となっていることを特徴とする請求項１記載のパンツ型パンツ型使いすておむつ。
【請求項３】
前記外装部材を構成する２枚のシートの対向する面の両方もしくは一方に塗布されている接着剤の接着力は、前記股下部領域における接着力が前記脚周り開口部における接着力よりも弱いことを特徴とする請求項１又は２に記載のパンツ型使いすておむつ。
【発明の詳細な説明】
【０００１】
【発明の属する技術分野】
本発明は、予めパンツ型に形成されている使いすておむつに関する。
【０００２】
【従来の技術】
従来から、パンツ型使いすておむつの製造方法として、パンツを形成するための連続する基材シートの前身頃側と後身頃側のそれぞれにおいて、一方の側縁部の位置から股下部の位置を経て他方の側縁部の位置に至る複数本の伸縮弾性体からなる第１伸縮弾性部材と第２伸縮弾性部材を配置して、脚周り伸縮弾性部材を形成する製造方法が知られている（例えば特許文献１）。このような、所謂、横流れの製造方法は、脚周り伸縮弾性部材とウエスト周り伸縮弾性部材を同時に取付けることが可能であり、製造効率が良いため、広く行われている。
しかしながら、横流れの製造方法により製造したおむつは、股下部の吸収体が配置されている領域を伸縮弾性部材が横断するため、吸収体が収縮して着用感が悪くなり、さらに、排泄物の拡散が妨げられるため、吸収体の吸収効率が悪くなり、漏れが生じることがあった。
【０００３】
このような横流れの製造方法の有する問題点を解決するために、２枚のシート間に伸縮弾性部材を配置したウエブを凸部を複数個配列した第１ロールと対向する第２ロールとからなるロールカッターの間を通過させ、加熱及び加圧により伸縮弾性部材を切断する方法（特許文献２）、あるいは、接着部と非接着部を有する基材シート上に伸縮弾性部材を配置し、次いで非接着部において伸縮弾性部材を加圧切断する方法（特許文献３）等の方法により、股下部領域において脚周り伸縮弾性部材を切断するパンツ型使いすておむつの製造方法が提案されている。
しかしながら、これらの方法は、いずれも伸縮弾性部材の切断片が不定形に残ったり、あるいは折れ曲がって存在するため、おむつの見栄えが悪くなるという問題点を有している。
さらに、伸縮弾性部材を切断する際に基材シートも切断されるため、おむつ製造時あるいは着用時に、切断により基材シートに生じた開口部が広がり、おむつの強度が低下するという問題点を有している。一般に、伸縮弾性部材の切断は、基材シートの接着剤が存在しない部分で行われるため、開口部が広がり易く、基材シートの強度が低下し易いものであった。
【０００４】
【特許文献１】
特開平３−３３２０１号公報
【特許文献２】
特開２００２−３５０２９号公報
【特許文献３】
特開２０００−２６０１５号公報
【０００５】
【発明が解決しようとする課題】
本発明は、上記従来のパンツ型使いすておむつの有する問題点を克服し、製品の見栄えが良く、強度低下がなく、さらに着用感に優れ、漏れのないパンツ型使いすておむつを提供するものである。
【０００６】
【課題を解決するための手段】
上記課題を解決した本発明は、以下の各発明を包含する。
【０００７】
（１）液透過性のトップシートと、液不透過性のバックシートと、これら両シートの間に配置された吸収体とからなる吸収性本体と、吸収性本体が接合され、着用者に吸収性本体を当てて保持する外装部材とからなり、外装部材の前身頃と後身頃の相対する両側縁部を接合してウエスト周り開口部と一対の脚周り開口部を形成し、前記開口部に沿って伸縮弾性部材が配置されたパンツ型使いすておむつにおいて、
前記外装部材は２枚のシートからなり、前身頃側の外装部材の２枚のシート間には、一方の側縁部から股下部を経て他方側縁部に至る複数本の伸縮弾性部材からなる第１伸縮弾性部材が配置され、そのうちの少なくとも一部分が前記脚周り開口部に沿って前記外装部材の２枚のシート間に接着配置されており、
後身頃側の前記外装部材の２枚のシート間には、一方の側縁部から股下部を経て他方の側縁部に至る複数本の伸縮弾性部材からなる第２伸縮弾性部材が配置され、そのうちの少なくとも一部分が前記脚周り開口部に沿って前記外装部材の２枚のシート間に接着配置されており、
前記第１伸縮弾性部材及び第２伸縮弾性部材は、前記脚周り開口部に沿って配置された部分で脚周り弾性部材を形成し、かつ、前記股下部領域の少なくとも中央部において不連続となるように配置されており、前記股下部領域における前記外装部材の２枚のシート間は接着されていることを特徴とするパンツ型使いすておむつ。
【０００８】
（２）前記第１伸縮弾性部材及び第２伸縮弾性部材は、前記外装部材を構成する２枚のシートの対向する面の両方もしくは一方に塗布されている接着剤によって脚周り開口部及び股下部領域において２枚のシートと一体的に接着された後、前記股下部領域の中央部で切断されることによって生じる収縮力によって前記股下部領域で前記２枚のシートから剥離し、収縮した状態で股下部領域の少なくとも中央部で不連続となっていることを特徴とする（１）記載のパンツ型使いすておむつ。
【０００９】
（３）前記外装部材を構成する２枚のシートの対向する面の両方もしくは一方に塗布されている接着剤の接着力は、前記股下部領域の少なくとも中央部における接着力が前記脚周り開口部における接着力よりも弱いことを特徴とする（１）又は（２）に記載のパンツ型使いすておむつ。
【００１０】
【発明の実施の形態】
本発明のパンツ型使いすておむつは、排泄物を吸収するための吸収性本体と吸収性本体を着用者に当てて保持する外装部材からなり、外装部材は２枚のシートからなり、前身頃側と後身頃側には、それぞれ、２枚のシート間に、一方の側縁部から股下部を経て他方の側縁部に至る複数本の伸縮弾性部材からなる第１伸縮弾性部材と第２伸縮弾性部材が配置され、このうちの少なくとも一部分が脚周り開口部に沿って配置されて脚周り伸縮弾性部材が形成されている。
また、股下部における第１伸縮弾性部材と第２伸縮弾性部材は、股下部の少なくとも中央部において不連続となるように配置されており、さらに、伸縮弾性部材の不連続領域では外装部材を形成する２枚のシートが接着されている。このように股下部において伸縮弾性部材が不連続に配置されていることによって、得られるおむつは、股下部の吸収体を弾性体により収縮させることがなく、履き心地が良くなり、また、排泄物の拡散を妨げることがなくなるため、効率よく吸収体を利用でき、漏れを防ぐことができる。
さらに、本発明において、伸縮弾性部材を不連続に配置する方法は、以下に示すように、ロールカッター等により伸縮弾性部材を切断して行われるため、外装部材を形成するシートも同時に切断されて開口部が形成されるが、切断部では２枚のシートが接着されているため、開口部が広がるのを防止することができ、おむつの強度が低下するのを防止することができる。
【００１１】
股下部領域に伸縮弾性部材を不連続に配置する方法としては、伸縮弾性部材を外装部材の２枚のシート間に弱接着されている状態で連続で配置させた後、加圧、加熱、或いは、切断刃などの切断方法もしくはそれらの組み合わせにより股下部、特にその中央部で伸縮弾性部材を切断することにより、行うことができる。切断方法は、好ましくは、伸縮弾性部材を配置した外装部材を表面に凸部を有するロールとこれに対向するロールとからなるロールカッターの間を通過させ、加熱及び加圧により切断する方法がよい。この方法の場合、伸縮弾性部材の切断の際に、外装部材を切断しても、その部分は熱により溶融してフィルム化するのみで穴が開かないため、見栄えがよくなる。更に、切断は外装部材の内側、即ち、おむつの吸収体本体側から行なうのがよい。このようにすると、外装部材の外側、即ち、おむつの外側は傷が付きにくく、見栄えが悪くならないので好ましい。また、伸縮弾性部材の切断は、伸縮弾性部材１本当たり１回が好ましい。２回以上切断すると、伸縮弾性部材の切断片が股下部領域のシート内に残って見栄えが悪くなり、好ましくない。
【００１２】
また、伸縮弾性部材が不連続となる領域は、第１伸縮弾性部材と第２伸縮弾性部材を脚周り開口部や、股下部の脚開口部側の領域で外装部材の内外層シートに接着固定している接着剤よりも弱く該内外層シートに接着されている。このように弱く接着されている伸縮弾性部材は、切断された際に、自身の収縮力によりシートから剥離しながら収縮するが、その収縮方向は、周囲の内外層シート間の接着状態が維持されているため、伸縮弾性部材が貼着されていた軌跡に沿って直線的に戻ることとなり、伸縮弾性部材が折れたり、曲がったりせず見栄えがよい。
【００１３】
伸縮弾性部材が不連続に配置される股下部領域に使用される接着剤の接着力は、第１伸縮弾性部材と第２伸縮弾性部材を脚周り開口部領域に接着固定している接着剤の接着力の５〜８０％が好ましく、１０〜５０％であることがより好ましい。８０％を越えると、接着力が強すぎて、伸縮弾性部材をシート間に固定してしまい、股下部領域で切断した場合にもシートから剥離して収縮することができず、吸収体を収縮させてしまうため好ましくない。逆に、５％未満の接着力では安定して接着が出来ず好ましくない。
【００１４】
股下部領域では、外装部剤の内外層シート間が弱接着されていればよいので、少ない接着力にする方が、コストが低くすみ好ましい。弱接着を達成する方法は、例えば、脚周り開口部領域の伸縮弾性部材固定部と股下部領域の伸縮弾性部材の不連続部に使用する接着剤を変えたり、接着方法を変える、或いは、接着剤の量を減らす、もしくは接着面積を減らす、等により達成することができ、どのような方法を用いても構わないが、接着剤の量を減らす方法が設備上容易に実施でき、コストが少なくてすむため好ましい。
【００１５】
本発明のパンツ型使いすておむつの吸収性本体に使用される液透過性トップシートには、ポリエチレン、ポリプロピレン、ポリエステル、その他の熱可塑性樹脂等を原料として合成繊維からなる液透過性の不織布、織布が用いられる。また、天然繊維でもよく、合成繊維と天然繊維との組み合わせ等、広い範囲の材料から製造することができる。いずれにしても、トップシートは、直接肌に接触する部分であるため、柔らかく、肌触りのよいものであれば良く、通気性であれば良い。
【００１６】
トップシートの中央領域は、吸収体上に配置されるため、速やかに液を透過させることができるように、親水性繊維であることが好ましい。また、トップシートの縦方向両端領域は、液を吸収した吸収体から、外側にしみ出さないように撥水性であることが好ましい。
また、トップシートは、単一のシートで構成される必要はなく、中央部トップシートや側部トップシートといった複数枚のシートで構成されても良い。また、複数枚のシートでトップシートを構成する際、各シートは別の素材を使っても良いが、同一の素材でも良い。
【００１７】
本発明のパンツ型使いすておむつに使用される液不透過性バックシートは、ポリエチレン等の液不透過性フィルム、液不透過性フィルムに不織布又は織布を貼り合わせてある素材、また、防漏性のある不織布、織布等からなり、特に制限はなく、吸収体中の水分がおむつ外側にしみ出さないものであれば良い。また、布状外観を与えるために模様状にエンボス処理されたり、さらに艶消し仕上げされていても構わない。
【００１８】
また、フィルムを使用する場合は、液不透過性でありながら、水蒸気だけを透過させる公知の透湿性フィルムを使用しても構わず、ムレを防止することから好ましい。また、着用者にフィットするように伸縮性のある素材であっても良く、ポリウレタン系フィルム、天然ゴムシート、発泡シート等の使用が考えられ、さらに、伸縮性不織布などを貼りあわせた素材でも良い。
【００１９】
本発明のパンツ型使いすておむつにおける吸収性本体に使用される吸収体は、綿状パルプ、高吸水性高分子物質、親水性シート等によって形成され、吸水性の性質をもっていれば特に制限を受けるものではない。吸収体は、従来の使いすておむつや、その他の吸収性物品の通常使用される公知の吸収性材料から作られている。すなわち、綿状パルプ、レーヨン等の吸収性繊維からなる単層もしくは多層のマットから形成され、さらに親水性シートによってくるまれており、そして、高吸水性高分子物質が各マット中に均一に混合もしくは各マット間に層状に配置されている。また、高吸水性高分子物質を均一に混合された吸収体は、綿状パルプに対して３〜６０質量％の熱融着性物質を混合した後、熱圧着してもよいし、もしくは高吸水性高分子物質のみが親水性シートによりくるまれているものであっても良い。
【００２０】
綿状パルプとしては、化学パルプシート、古紙パルプシート、機械パルプシートを粉砕機で解繊することにより得られる繊維長５ｍｍ以下のものである。パルプ原料としては、針葉樹に限らず、広葉樹、わら、竹及びケナフも適用される。このパルプの使用量は、目的とする吸収体により、例えば、単独に用いるか、複数積層して用いるか、他の吸収材を併用するかなどにより異なるが、一般には、５０〜４００ｇ／ｍ２にされる。
【００２１】
高吸水性高分子物質としては、デンプン系、セルロース系、合成ポリマー系が挙げられる。すなわち、デンプン−アクリル酸（塩）グラフト重合体、デンプン−アクリル酸エチルグラフト共重合体のケン化物、デンプン−メタクリル酸メチルグラフト共重合体のケン化物、デンプン−アクリロニトリルグラフト共重合体のケン化物、デンプン−アクリルアミドグラフト共重合体のケン化物、アクリル酸（塩）重合体、アクリル酸で架橋されたポリエチレンオキシド、ナトリウムカルボキシメチルセルロースの架橋物、ポリビニルアルコール−無水マレイン酸反応物架橋物などが例示されるが、この中で自重の２０倍以上の尿、体液及び水を吸収するもので、ポリアクリル酸ナトリウム系のものが吸収性能の点から最も適当である。
【００２２】
高吸水性高分子物質の分布量は、乾燥した綿状パルプ１００質量部に対して１０〜５００質量部、好ましくは１５〜３００質量部であり、かかる量の高吸水性高分子物質が綿状パルプに実質的に均一に分布していると、高吸水性高分子物質が吸水し膨潤したとき、その粒子は相互の干渉が最小にとどめられ、連続的に接触して透過障壁が形成されることが少なく、尿や体液を３次元方向に良好に透過吸水する。
【００２３】
前記吸収体の形状は、砂時計型、矩型、Ｔ字型等特に制限はなく、股下にフィットする形状であれば良い。一般的に着用感を向上させるために、砂時計型やＴ字型等股下部を狭くした形状であることが特に好ましい。
【００２４】
本発明において、伸縮弾性部材は、脚周り開口部、ウエスト周り開口部等に伸長状態で配置され、ホットメルト接着剤により接着固定されている。伸縮弾性部材は、ウレタンフィルム、ウレタン糸、ウレタンフォーム、糸ゴム等が使用される。
【００２５】
【実施例】
以下に実施例を挙げて本発明の使いすておむつをより具体的に説明するが、勿論、本発明はこれらによって限定されるものではない。
【００２６】
図１は、本発明のパンツ型使いすておむつを示す斜視図である。図１において、パンツ型使いすておむつ１は、前身頃２と後身頃３の相対する両側縁部をサイドシーム６で接合して、ウエスト周り開口部４と脚周り開口部５が形成され、各開口部に沿って伸縮弾性部材が配置されて形成されている。
さらに、本発明では、上記ウエスト周り開口部４と脚周り開口部５の間の胴周り領域にもウエスト周り開口部４に平行に伸縮弾性部材を配置することが可能である。胴周り領域に伸縮弾性部材を配置することにより、着用者へのおむつのフィット性が良好となり、ずり下がりが防止されるため好ましい。
【００２７】
また、サイドシーム６の接着閉鎖は、前身頃２と後身頃３の両側縁が外側に突き出した状態、又は両側縁が内側に突きだした状態、あるいは一方の側縁を外側に、他方の側縁を内側に突き出した状態で重ね合わせ、ホットメルト接着剤、加圧溶融、超音波溶融等を単独で、又はそれらを組み合わせることにより接着することが可能である。
【００２８】
図２は、図１で示した本発明のパンツ型使いすておむつのサイドシーム６を解放展開した伸長状態を示す平面図である。
図２において、外装部材２０の前身頃２には、一方の側縁部から股下部を経て他方の側縁部に至る複数本の伸縮弾性材料から成る第１伸縮弾性部材７が配置され、後身頃３には、一方の側縁部から股下部を経て他方の側縁部に至る複数本の伸縮弾性材料からなる第２伸縮弾性部材８が配置され、第１及び第２伸縮弾性部材７、８の脚周り開口部５に沿って配置された部分により脚周り伸縮弾性部材が形成されている。また、ウエスト周り開口部４の近傍には、ウエスト周り開口部伸縮弾性部材９が配置され、ウエスト周りに伸縮弾性が付与されている。
【００２９】
さらに、第１伸縮弾性部材７と第２伸縮弾性部材８は、股下部１１において切断部１４で切断され、不連続部を形成している。また、切断部１４には、伸縮弾性部材を切断した際に外装部材２０を形成するシートも切断されるため、開口部が形成されている。
切断の方法は、ロールカッターに１本の刃を取付けて第１及び第２伸縮弾性部材を一緒に切断しても良く、ロールカッターの２箇所に刃を取付けて第１伸縮弾性部材と第２伸縮弾性部材を別々に切断しても良く、あるいは、第１及び第２伸縮弾性部材を形成する伸縮弾性材料を個々に切断しても良く、特に限定されるものではない。
【００３０】
さらに、切断形状は直線状、曲線状、円形、楕円形などどのような形状でも良く、伸縮弾性部材に対して直角に配置しても、或いは、斜めに配置しても良い。本実施例においては、伸縮弾性部材に対し、直線状の切断形状を斜めに配置しているが、このように配置すると、外装部材を形成するシートに開口部が形成された場合、外装部材が縦方向、或いは、横方向に引っ張られても開口部が広がりにくいため好ましい。
【００３１】
図３は、図２に示した本発明のパンツ型使いすておむつの第１及び第２伸縮弾性部材の固定状態を示した平面図である。図３において、脚周り開口部５に配置された第１伸縮弾性部材７及び第２伸縮弾性部材８は、固定部１２において、接着剤により外装部材２０に接着固定されている。さらに、股下部１１における伸縮弾性部材不連続部では、固定部１３は脚周り開口部の固定部１２よりも弱い接着力により外装部材を形成するシート間を接着している。
【００３２】
伸縮弾性部材切断部１４により切断された第１伸縮弾性部材７及び第２伸縮弾性部材８は、固定部１３の接着力では固定されることがないため、自身の収縮力によりシートから剥離しながら収縮するが、周囲の外装部材間は接着されているため、伸縮弾性部材は配置された軌跡に沿って収縮し、隣り合う伸縮弾性部材が重なったり、折れたりしないため、見栄えが良い。また、固定部１２と固定部１３の領域の範囲を変えることで、脚周りの伸縮性を有する領域と股下の伸縮性の有しない領域の範囲を自由に調節することが可能である。
【００３３】
図４は、図３に示す本発明のパンツ型使いすておむつをＡ−Ａ’線で切断した状態を示す断面図である。図４において、パンツ型使いすておむつ１は、排泄物を吸収する吸収性本体１９と、吸収性本体１９が接合され、これを着用者に当てて保持する外装部材２０とから形成されている。また、吸収性本体１９は、液透過性のトップシート１７と、液不透過性のバックシート１８と、これら両シートの間に配置された吸収体１０とから基本的に形成されており、吸収性本体１９の両側縁には立体ギャザー２３が取付けられている。さらに、外装部材２０は、外層シート２１と、外層シート２１の内側表面に積層された内層シート２２とから形成されており、これら２枚のシートの間には第１伸縮弾性部材７が配置されている。
【００３４】
第１伸縮弾性部材７は、脚周り開口部領域の固定部１２において、接着剤１５により外層シート２１に接着固定されている。さらに、第１伸縮弾性部材７は、おむつ股下部領域１１の固定部１３における不連続部分を形成する部分は、最初は接着剤１６により外層シート２１と内層シート２２が接着されている状態で両シート間に接着されているが、外層シート２１との接着力よりも第１伸縮弾性部材７の収縮力の方が強いため、股下部領域１１で切断されると、外層シート２１から剥離しながら収縮して不連続部を形成する。第１伸縮弾性部材７の固定部１２における接着や、固定部１３における仮接着は、内層シート２２側に塗布した接着剤で行っても構わない。固定部１２における接着剤１５と固定部１３における接着剤１６は、同じ接着剤でも異なる接着剤でも良く、接着剤１６に接着力の弱い接着剤を用いるか、同じ接着剤の場合は、接着剤１６の使用量を少なくすることで、伸縮弾性部材不連続部を形成することができる弱接着を得ることができる。
【００３５】
図５は、図３に示す本発明のパンツ型使いすておむつをＡ−Ａ’線で切断した状態を示す別の例の断面図である。第１伸縮弾性部材７は、固定部１２において、外層シート２１に塗布された接着剤１５と内層シート２２に塗布された接着剤１６により、両シート間に接着固定されている。さらに、第１伸縮弾性部材７の不連続部分を形成する股下領域１１の固定部１３は、内層シート２２に塗布された接着剤１６により外層シート２１と内層シート２２が接着されているが、これら両シートと第１伸縮弾性部材７との接着力よりも、第１伸縮弾性部材７を切断した際の該伸縮弾性部材の収縮力の方が強いため、切断されると両シートから剥離しながら収縮して不連続部を形成している。
【００３６】
伸縮弾性部材の固定は、固定部１２においては、伸縮弾性部材が外層シート２１と内層シート２２に塗布された接着剤１５と接着剤１６の間に挟まれるため、少ない接着剤で強固に接着固定することが可能であり、また、弱接着を必要とする伸縮弾性部材の不連続形成部である固定部１３では、内層シート２２に塗布する接着剤１６の量を減らすことができるため、容易に弱接着域を形成することができる。また、弱接着領域を形成する接着剤に外層シート２１側の接着剤１５を用いても構わない。
【００３７】
本発明のパンツ型使いすておむつは、股下部において、切断される前の第１伸縮弾性部材７及び第２伸縮弾性部材８は、これを形成する伸縮弾性材料がおむつの幅方向に平行に間隔をおいて複数本配置されている。この場合、第１伸縮弾性部材７及び第２伸縮弾性部材８は、それぞれが交差して配置されていても良く、あるいは交差せずに配置されていても良い。
【００３８】
また、第１伸縮弾性部材７と第２伸縮弾性部材８を形成する伸縮弾性材料の本数は、特に制限はなく、第１伸縮弾性部材７と第２伸縮弾性部材８で同じであっても良く、あるいは異なっていても良い。
【００３９】
本発明のおむつは、股下部中央部おいては、第１伸縮弾性部材７と第２伸縮弾性部材８は不連続に配置されており、さらに、伸縮弾性部材の不連続領域では、外装部材を形成する内層シートと外層シートが接着剤により接着されている。このように、股下部領域の中央部に伸縮弾性部材の不連続部を形成することによって、吸収体が収縮することがなくるため、履き心地が良くなり、また、股下中央部において吸収体が着用者に圧迫されることがなくなるため、股下部中央部で着用者と吸収体の間に空間が形成されやすくなり、立体ギャザーが起立しやすくなってポケット構造が形成され、さらに、排泄物を吸収する際に吸収体が膨潤するのを妨害されることがないため、漏れ防止効果が大幅に改善される。
【００４０】
さらに、伸縮弾性部材の不連続領域は、股下部中央領域において伸縮弾性部材を切断して形成されるため、この際、外装部材を形成するシートも一緒に切断されてシートに開口部が形成されるが、この領域では外装部材の２枚のシートが接着剤によって接着されているため、おむつの製造時あるいは着用時に開口部が広がることがなく、強度が維持される。
【００４１】
【発明の効果】
本発明のパンツ型使いすておむつは、排泄物を吸収するための吸収性本体と吸収性本体を着用者に当てて保持する外装部材からなり、外装部材の前身頃側と後身頃側には、それぞれ、一方の側縁部から股下部を経て他方の側縁部に至る複数本の伸縮弾性材料からなる第１伸縮弾性部材と第２伸縮弾性部材が配置され、このうちの少なくとも一部分が脚周り開口部に沿って配置されて脚周り伸縮弾性部材が形成されている。また、股下部において第１伸縮弾性部材と第２伸縮弾性部材が不連続に配置されており、不連続部領域において外装部材を形成する２枚のシートが接着されている。
このような構成を有する本発明のパンツ型使いすておむつは、履き心地が良く、漏れ防止効果が優れ、おむつの製造時あるいは着用時に優れた強度を有するものであり、さらに、伸縮弾性部材の不連続部分が綺麗に配列されているため見栄えの良いものである。
【図面の簡単な説明】
【図１】本発明のパンツ型使いすておむつの斜視図である。
【図２】図１で示した本発明のパンツ型使いすておむつのサイドシームを解放展開した伸長状態を示す平面図である。
【図３】図２で示した本発明のパンツ型使いすておむつの伸縮弾性部材の固定状態を示している平面図である。
【図４】図３で示した本発明のパンツ型使いすておむつをＡ−Ａ’線で切断した状態を示している断面図である。
【図５】図３で示した本発明のパンツ型使いすておむつをＡ−Ａ’線で切断した状態を示す別の例の断面図である。
【符号の説明】
１．パンツ型使いすておむつ
２．前身頃
３．後身頃
４．ウエスト周り開口部
５．脚周り開口部
６．サイドシーム
７．第１伸縮弾性部材
８．第２伸縮弾性部材
９．ウエスト周り伸縮弾性部材
１０．吸収体
１１．股下部
１２．固定部
１３．固定部
１４．伸縮弾性部材切断部
１５．接着剤
１６．接着剤
１７．液透過性トップシート
１８．液不透過性バックシート
１９．吸収性本体
２０．外装部材
２１．外層シート
２２．内層シート
２３．立体ギャザー
【図１】
2004167043.tif 000003
【図２】
2004167043.tif 000004
【図３】
2004167043.tif 000005
【図４】
2004167043.tif 000006
【図５】
2004167043.tif 000007